(57)【要約】【課題】音声調整卓に入力する音声回線をグループ分けし、各グループごとに遅延量を設定することで、ディレイ値の設定の手間を省いた音声調整システムを提供する。【解決手段】スタジオ６ａ，６ｂのカメラ７から映像信号が、マイク８からは音声信号が出力される。映像調整卓４は複数の映像入力端子を備え、入力する映像信号を調整及び選択を行い放送出力として出力する。音声調整卓５は複数の音声入力端子を備え、入力する音声信号の調整及び選択を行い放送信号として出力する。音声調整卓５は、識別番号及音声信号を、ユーザの入力によりディレイグループに分けるディレイグループ設定部１６と、ディレイグループごとにまとめた音声信号に対して、ディレイ値の設定をするディレイ設定部１７と、ディレイ値を設定した音声信号を回線チャンネルごとに分配する回線切替設定部１９とを備える。これにより、ディレイグループのディレイ値を一度に設定できる。【選択図】図１
2011035466.tif 000002
【特許請求の範囲】
【請求項１】
複数の映像入力端子を備え入力する映像信号の調整及び選択を行い、その映像信号を映像放送信号として出力する映像調整卓と、
複数の音声入力端子を備え入力する音声信号の調整及び選択を行い、その音声信号を音声放送信号として出力する音声調整卓とを備えたディレイ調整システムにおいて、
前記音声調整卓は、
音声調整卓に入力するそれぞれの音声信号をディレイ値が同一となるようなディレイグループに分けるディレイグループ設定部と、
前記ディレイグループごとにまとめた音声信号に対して、ディレイ値の設定をするディレイ設定部と、
前記ディレイ値を設定した音声信号を回線チャンネルごとに分配する回線切替設定部とを備え、
入力する音声信号をディレイグループに分配し、そのディレイグループのディレイ値をまとめて設定することを特徴とするディレイ調整システム。
【請求項２】
前記ディレイグループ設定部が、ユーザが任意の識別番号及び名称を付けた音声信号を、ユーザの入力に基づいてディレイ値が同一となるようなディレイグループに分けるものであることを特徴とする請求項１に記載のディレイ調整システム。
【請求項３】
前記音声調整卓は、
ディレイ値を設定したディレイグループごとの音声信号に対して、ディレイ値の変更を受け付けなくするディレイロック部を備えたことを特徴とする請求項１または請求項２に記載のディレイ調整システム。
【請求項４】
前記音声調整卓は、
音声／映像基準信号を発生させる音声／映像基準信号発生部と音声／映像信号遅延量測定部を備え、
音声／映像基準信号発生部から外部に出力しマイク／カメラを経由して音声／映像信号遅延量測定部に入力した音声／映像基準信号と、音声／映像基準信号発生部から直接音声／映像信号遅延量測定部に入力する音声／映像基準信号の遅延量を測定することにより、音声／映像信号の遅延量を計測することを特徴とする請求項１、請求項２または請求項３に記載のディレイ調整システム。
【発明の詳細な説明】
【技術分野】
【０００１】
本発明は、番組放送の制作時における映像信号と音声信号とのずれ（リップシンクのずれ）をとるために、放送すべき映像信号と音声信号との遅延量（ディレイ値）を設定するシステムに関する。
【背景技術】
【０００２】
従来から、放送番組における制作設備の映像信号と音声信号は、異なる装置で処理されていたが、近年のデジタル化により映像信号をデジタル信号に変換するなどの処理を行う必要が出てきた。この処理を行うことにより、映像信号のデジタル信号の遅延量（ディレイ値）が、音声信号の遅延量（ディレイ値）よりも大きくなる。そこで、映像信号の遅延量にあわせて音声信号の遅延量（ディレイ値）を大きくすることの必要性が増してきている。
【０００３】
例えば、バーチャル映像は、カメラで撮影した映像に特殊な信号処理を施すために、映像信号の相当量が遅延している。その遅延している信号が、スイッチャーなどの映像設備へ入力する。一方、音声はマイクで収音した信号をそのまま音声設備へ入力するため、ほとんど遅延が発生しない。最終的に、放送へ送信する映像信号と音声信号に僅かな遅延量（ディレイ値）があると、映像に違和感がでてしまうために、映像の遅延量に合わせた音声の遅延量を調整することが音声設備側で必要となる。
【０００４】
このような、映像信号と音声信号とのずれ（リップシンクのずれ）を防止する方法としては、例えば、特許文献１に記載の発明が知られている。この特許文献１に記載の発明は、図１０に示す構成を有している。図１０において、１は、映像信号と音声信号の出力装置である。２は、再生装置１から出力された音声信号を入力し、入力した音声信号をスピーカに供給する音声出力装置である。３は、再生装置１から出力された音声信号と映像信号とを入力し、入力された映像信号を映像の表示に用いる映像装置である。この映像装置３では、供給された映像信号を映像として処理する時間を特定し、供給された音声信号との遅延量を測定し、この遅延量を遅延制御情報として音声装置２に出力する。音声装置２では、入力された遅延制御情報に基づいて音声信号を遅延させる。
【先行技術文献】
【特許文献】
【０００５】
【特許文献１】特開２００５−２０９０８４号公報
【発明の概要】
【発明が解決しようとする課題】
【０００６】
しかしながら、放送番組を制作するための音声調整卓は複数の再生装置を備えているため、特許文献１の発明を音声調整卓に利用した場合、映像の遅延に合わせて音声信号の遅延量を設定する場合に、再生装置１ごとにリップシンクをマニュアル設定する必要がある。このため、再生装置１の台数が増えた場合は、設定する項目が多く誤操作及び設定ミスなどが発生しやすい。また、音声調整卓では、複数の再生装置１から出力される各映像処理における音声信号は単一音声回線ではない場合が多く、同じ遅延量設定を複数音声入力回線に対して、マニュアル設定する必要がある。このような、同じ作業を繰り返し行うことは設定ミスにつながる。
【０００７】
また、一つの放送番組は複雑に構成されており、上記バーチャル映像以外の映像処理による遅延や、遠隔地から中継を行う場合に中継地から放送局までの伝送による遅延など様々な映像信号を音声調整卓側で補正する必要がある。
【０００８】
本発明は上述した課題を解決するためになされたものであり、その目的は、音声調整卓に入力する遅延量が同一となる音声回線をグループ分けし、各グループに識別コードを設定し、その識別コードごとに遅延量を設定することで、ディレイ値の設定の手間を大幅に省いた音声調整システムを提供することである。
【課題を解決するための手段】
【０００９】
上記目的をふまえ、本発明の音声調整システムは、複数の映像入力端子を備え入力する映像信号の調整及び選択を行い、その映像信号を映像放送信号として出力する映像調整卓と、複数の音声入力端子を備え入力する音声信号の調整及び選択を行い、その音声信号を音声放送信号として出力する音声調整卓とを備え、前記音声調整卓は、音声調整卓に入力するそれぞれの音声信号をディレイ値が同一となるようなディレイグループに分けるディレイグループ設定部と、前記ディレイグループごとにまとめた音声信号に対して、ディレイ値の設定をするディレイ設定部と、前記ディレイ値を設定した音声信号を回線チャンネルごとに分配する回線切替設定部とを備え、入力する音声信号をディレイグループに分配し、そのディレイグループのディレイ値をまとめて設定することを特徴とする。
【００１０】
なお、ユーザが任意の識別番号及び名称を付けた音声信号を、ユーザの入力に基づいてディレイ値が同一となるようなディレイグループに分けたり、ディレイ値を設定したディレイグループごとの音声信号に対して、ディレイ値の変更を受け付けなくしたり、マイク／カメラを経由した音声／映像基準信号と、音声／映像基準信号発生部から直接入力する音声／映像基準信号を測定することにより、音声／映像信号の遅延量を計測し、その測定結果より、音声信号のディレイ値を設定したりするディレイ調整システムも本発明の一態様である。
【発明の効果】
【００１１】
以上のような本発明によれば、遅延量が同一となる音声回線をグループ分けし、そのグループごとのディレイ値を自動で調整することが可能となる。これより、ディレイ値が同一で良いディレイグループのディレイ値を一度に設定できるため、同じ作業を複数繰り返すことによる設定ミスを低減することができる。また、各ディレイ値を自動で設定するので、マニュアル設定による操作ミスを防止することができる。
【図面の簡単な説明】
【００１２】
【図１】本発明の実施例１による遅延量を自動的に設定する音声調整システムの構成を示す図。
【図２】本発明の実施例１における音声調整卓の内部の構成を示した図。
【図３】本発明の実施例１における音声調整卓の制御図。
【図４】本発明の実施例１における操作部及び表示部の具体例を示した図。
【図５】本発明の実施例１における表示部に表示される表示を示した図。
【図６】本発明の実施例２による遅延量を自動的に設定する音声調整システムの構成を示す図
【図７】本発明の実施例２における音声調整卓の内部の構成を示した図。
【図８】本発明の実施例２における音声調整卓の制御図
【図９】本発明の実施例２における表示部に表示される表示を示した図。
【図１０】従来の映像信号と音声信号とのずれ（リップシンクのずれ）を防止する装置の構成図。
【発明を実施するための形態】
【００１３】
以下、本発明の実施例を図面を参照して説明する。各実施例で同一または類似の構成部分には、共通の符号を付し、重複する説明は省略する。
【実施例１】
【００１４】
［１−１．構成］
図１は、本発明に係る実施例１の遅延量を自動的に設定する音声調整システムの構成を示すブロック図である。図２は、実施例１の遅延量を自動的に設定する音声調整システムの音声調整卓の内部の構成を示したブロック図である。
【００１５】
図１において、６ａは一般的なスタジオであり、それぞれカメラ７、マイク８が設置されている。カメラ７の出力側には映像調整卓４が接続され、映像調整卓４に設けられた入力端子に映像信号が入力するように接続される。各マイク８の出力側には音声調整卓５が接続され、音声調整卓５に設けられた複数の音声入力端子に各マイク８からの音声信号がそれぞれ入力される。
【００１６】
６ｂは、スタジオセットをすべてＣＧ（コンピュータグラフィックス）で表現するバーチャルスタジオであり、スタジオ６ａと同様に内部にそれぞれカメラ７、マイク８が設置されている。カメラ７の出力側はバーチャル映像信号処理部１１と接続され、カメラ７から出力された映像出力は、バーチャル映像信号処理部１１を介すことにより、ＣＧ（コンピュータグラフィックス）で表現したスタジオの映像を、映像調整卓４に出力する。
【００１７】
映像調整卓４は、複数の映像入力端子を備え、入力する映像信号の調整及び選択を行い放送出力として出力する。映像調整卓４に入力する映像信号は、スタジオ６ａ，６ｂのカメラから出力される映像信号の他に、中継回線やスタジオ以外に設置されたカメラなどを介した映像回線を利用することができる。
【００１８】
音声調整卓５は、複数の音声入力端子を備え、入力する音声信号の調整及び選択を行い放送信号として出力する。音声調整卓５に入力する音声信号は、スタジオ６ａ，６ｂのマイク８から出力される音声信号の他に、中継回線やスタジオ以外に設置されたマイクなどを介した音声信号を利用することができる。
【００１９】
図２は、図１における音声調整卓５の内部の構造を示した図である。音声調整卓５の各入力端子に入力した音声信号は、回線切替部１２にそれぞれ入力される。回線切替部１２の出力側には、回線チャンネルごとに音声信号を出力する出力端子がある。回線切替部１２の出力側には、入力した回線チャンネルごとのフェーダーを調整する音声処理部１３が接続されている。音声処理部１３にはフェーダー１４が設けられ、入力した音声信号のフェーダーレベルを調節することができる。この音声処理部１３の出力側にはミックスバスＭＩＸ ＢＵＳが接続され、回線チャンネルごとにフェーダーレベルの調整を行った音声信号は、ミックスバスＭＩＸ ＢＵＳを介して音声放送出力として出力される。
【００２０】
図３は、図１における音声調整卓５の制御を行うための構成を示した図である。１５は、音声調整卓の制御を行う制御部である。制御部１５は、回線切替部１２、音声処理部１３操作部２０及び表示部２１を備え、ユーザが操作部２０を操作し、指示を制御部１５に入力することにより、回線切替部１２を制御する。
【００２１】
この制御部１５は、以下の設定部を備える。
（１）音声調整卓５に入力するそれぞれの音声信号に、ユーザが任意の識別番号及び名称を付け、その音声信号を、ユーザの入力に基づいてディレイ値が同一となるようなディレイグループに分けるディレイグループ設定部１６
（２）ディレイグループごとにまとめた音声信号に対して、ディレイ値の設定をするディレイ設定部１７
（３）ディレイグループごとにまとめた音声信号に対して、ディレイ値の変更を受け付けなくするディレイロック部１８
（４）ディレイ値を設定した音声信号を、回線チャンネルごとに分配する回線切替設定部１９
【００２２】
前記の通り、制御部１５の出力側には、制御部１５の指令により、入力した個々の音声信号を各チャンネルに分配する回線切替部１２がある。この回線切替部１２の出力側には、音声処理部１３が接続され、この音声処理部１３に回線切替部１２でチャンネルごとに分かれた音声信号が入力する。音声処理部１３は、放送出力回線（前記のミックスバスＭＩＸ ＢＵＳ）と接続されており、この出力回線から音声処理部１３でフェーダー調整された音声信号が出力される。
【００２３】
図４は、図２における音声調整卓５の操作部２０及び表示部２１の具体例を示した図である。図中、ディレイ調整つまみ２２は、ユーザがつまみを調整することにより、希望する値にディレイ値を制御部１５に入力する。フェーダー１４は、ユーザがつまみを調整することにより、希望する値にフェーダーレベルを設定する。ディレイ表示板２３は、回線切替設定部１９で回線チャンネルごとに分配した音声信号に設定してあるディレイ値を表示する。回線名称表示部２４は、回線切替設定部１９で各回線チャンネルに該当する音声信号の識別番号と名称を表示する。なお、操作部２０としては、上述の例に限定されることなく、操作を行うために音声調整卓５と接続したキーボードやマウスなどを使用することもできる。表示部も同様に、他の設定部の結果を表示してもよい。
【００２４】
［１−２．作用］
以上のような構成を有する実施例１では、音声調整卓５に入力する音声信号に対して、ユーザが任意の識別番号及び名称を付けた音声信号を、ユーザの入力に基づいてディレイ値が同一となるようなディレイグループに分ける。このディレイグループごとにまとめた音声信号に対して、ユーザがディレイ値を設定する。そして、ディレイ値を設定した音声信号を回線チャンネルごとに分配し、その回線チャンネルごとにフェーダーレベルの調整を行う。以下、実施例１の作用を、音声調整卓５の表示部２１の表示に従って説明する。
【００２５】
図５（ａ）は、音声調整卓５に入力する音声信号をディレイグループに分ける際の表示部２１の表示例である。表示部２１には、識別番号、名称、ディレイグループ、ディレイ値が表示される。これらのうち、名称、ディレイグループは、ユーザが操作部２０や音声調整卓５と接続したキーボードやマウスなどを使用することにより任意に設定することができる。識別番号の表示は、音声調整卓５に入力した音声信号ごとに付与される識別番号の表示である。名称の表示は、識別番号が付与された音声信号の名称である。ユーザは、音声調整卓５に入力する音声信号が、どの場所から出力された音声信号であるかを明確にするために、識別番号ごとに名称の表示を設定することができる。ディレイグループの表示は、番号が同じ音声信号を１つのグループとする時に、各音声信号にどの番号が設定されているかの表示である。ユーザは各音声信号に対して、ディレイグループの番号を付与することにより、音声信号を希望するディレイグループに分配するよう設定することができる。ディレイ値の表示は、音声調整卓５に入力した音声信号ごとのディレイ値の表示である。ここに表示されるディレイ値は、後述の図５（ｂ）の表示画面で設定したディレイ値や、操作部２０に設けられたディレイつまみにより、ユーザが希望するディレイ値に設定したディレイ値と対応している。
【００２６】
図５（ｂ）は、ディレイ設定部１７で、ディレイグループに分配した音声信号に対してディレイ値の設定を行う際の表示部２１の表示例である。表示部２１には、ディレイグループ、ディレイ値、ディレイロックが表示される。これらのうち、ディレイ値、ディレイロックは、ユーザが操作部２０などを使用することにより任意に設定することができる。ディレイグループに表示される番号は、図５（ａ）の表示画面で設定したディレイグループ番号と対応している。ディレイ値の表示は、ディレイグループごとのディレイ値の表示であり、ユーザが設定するディレイ値が表示される。ディレイロックの表示は、ディレイロックの設定の有無の表示であり、ディレイグループごとに設定するディレイ値を固定するか否かの設定をＯＮ又はＯＦＦで表示する。このディレイロックの設定において、ロックの設定を行った音声信号は、操作部２０に設けられたディレイつまみによるディレイ値の設定の変更の受け付けを停止する。このディレイロックの設定を行う場合には、操作部２０に設けられたディレイロックボタンを調整することでロック／解除をすることができる。
【００２７】
図５（ｃ）は、回線切替部１２で、ディレイ値を調整した音声信号を回線チャンネルごとに分配する設定を行う際の表示部２１の表示例である。表示部２１には、回線チャンネル番号、回線切替部１２から出力する回線名、ディレイ値が表示される。これらのうち、回線切替部１２から出力する回線は、ユーザが操作部２０や音声調整卓５と接続したキーボードやマウスなどを使用することにより任意に設定することができる。回線チャンネル番号の表示は、回線切替部１２から出力する回線チャンネル番号の表示である。この回線名の表示には、回線切替部１２から出力する回線チャンネルに該当する音声信号の識別番号と図５（ａ）で設定した名称が表示される。ユーザはこの回線切替部１２から、どの音声信号が出力するかを設定することができる。チャンネルごとに分配された音声信号は、チャンネルごとに音声処理部１３に入力し、その音声処理部１３に設けられたフェーダー１４により、音量を調節することができる。
【００２８】
［１−３．効果］
以上の通り、この実施例１においては、音声調整卓５に入力する音声信号に識別番号を付し、その音声信号をグループ分けし、そのグループごとにディレイ値を設定する。これにより、画像操作時などディレイ値が同一で良いディレイグループのディレイ値を一度に設定できるため、同じ作業を複数回繰り返すことによる設定ミスを低減することができる。また、運用中時に各音声信号のディレイ値を変更する場合は、各音声信号に対応したディレイつまみを調整することにより行うことができる。一方、音声信号ごとにディレイロックの設定を設けることにより、ディレイつまみによるディレイ値の変更の受け付けを停止することにより、設定変更の必要の無い音声信号のディレイ値を誤って変更してしまうことを防止することができる。
【００２９】
さらに、ディレイグループごとにディレイ値を設定するが、フェーダーの調整を行う際には、ディレイ値を調整した音声信号をチャンネルごとに分配する設定を行う。これにより、ディレイグループにこだわること無く、ユーザが希望した音声信号に対してフェーダーの調整を行うことができる。
【実施例２】
【００３０】
本実施例は、前記実施例１の音声調整卓５でのディレイ値を設定する際に、ディレイ値の設定の手間を省いたものである。
【００３１】
［２−１．構成］
図６は、本発明に係る実施例２のディレイ値を自動的に設定する音声調整システムの構成を示すブロック図である。図７は、実施例１の遅延量を自動的に設定する音声調整システムの音声調整卓の内部の構成を示したブロック図である。
【００３２】
図６において、９はスタジオ６ａに設置されたセレクタである。セレクタ９の入力側には、カメラ７の出力と映像基準信号が入力される。セレクタ９の出力側は、映像調整卓４及び音声調整卓５に接続されている。スタジオ６ｂのセレクタ９の出力側は、バーチャル映像信号処理部１１を介して、映像調整卓４及び音声調整卓５に接続される。
【００３３】
中継現場６ｃは、映像調整卓４及び音声調整卓５から離れた場所での中継を行う場所である。中継現場６ｃと映像調整卓４及び音声調整卓５の中継は、中継端末１０を介して行う。この中継端末１０は、中継端末に入力する音声信号、映像信号、音声基準信号及び映像基準信号を双方向に送受信する。
【００３４】
中継現場６ｃにはセレクタ９ａ，９ｂが設置されている。セレクタ９ａの入力側には、カメラ７の出力と中継端末１０から出力された映像基準信号が入力される。セレクタ９ｂの入力側には、マイク８から出力された音声信号と中継端末１０から出力された音声基準信号が入力される。図６では、セレクタ９ｂに入力されるマイク８は、ＭＩＣ３−１であるが、中継現場６ｃにあるマイク８ならば、どのマイクも選択することができる。
【００３５】
音声調整卓５は、音声入力端子のほかに複数の映像入力端子を備え、各スタジオ６ａ，６ｂ及び中継現場６ｃからの映像信号及び音声信号を入力する。そして、音声信号を処理することで、音声放送出力として出力する。また、各スタジオ６ａ，６ｂ及び中継現場６ｃに対して、音声基準信号及び映像基準信号を出力する。
【００３６】
図７は、図６における音声調整卓５の内部の構造を示した図である。音声調整卓５の各入力端子に入力した音声信号は、回線切替部１２と音声信号遅延量測定部２７とにそれぞれ入力される。音声信号遅延量測定部２７は、音声信号と音声基準信号より遅延量を測定する。この音声信号遅延量測定部２７の入力側は、音声基準信号を発生する音声基準信号発生部２５と接続される。この音声基準信号発生部２５の出力側は、音声信号遅延量測定部２７の他に、音声調整卓５の外部に設けられた中継現場６ｃに設けられたセレクタ９ｂと接続される。映像信号遅延量測定部２８は、映像信号と映像基準信号より遅延量を測定する。この映像信号遅延量測定部２８の入力側は、映像基準信号を発生する映像基準信号発生部２６と接続される。この映像基準信号発生部２６の出力側は、映像信号遅延量測定部２８の他に、音声調整卓５の外部に設けられた各スタジオ６ａ，６ｂ及び中継現場６ｃに設けられたセレクタ９，９ａと接続される。
【００３７】
図８は、図６における音声調整卓５の制御を行うための構成を示した図である。前記図３に示した実施例１の音声調整卓５に加えて、次の部分を備えている。
（５）音声／映像基準信号を発生させる音声／映像基準信号発生部２５，２６
（６）音声／映像信号と音声／映像基準信号と比較することで、音声／映像信号の遅延量を計測する音声／映像信号遅延量測定部２７，２８
【００３８】
［２−２．作用］
以上のような構成を有する実施例２では、音声調整卓５に入力する音声信号をディレイグループに分け、このディレイグループごとにディレイ値を設定する。この時に、実施例１では、ユーザがマニュアルでディレイ値を設定していたが、本実施例では、回線ごとの音声／映像信号と音声／映像基準信号の差を測定する。以下実施例２の作用を、音声調整卓５の表示部２１の表示に従って説明する。
【００３９】
図９（ａ）は、音声調整卓５に入力する音声信号をディレイグループに分ける際の表示部２１の表示例である。表示部２１には、識別番号、名称、ディレイグループが表示される。これら識別番号、名称、ディレイグループの表示及び設定については、実施例１の場合と同様である。
【００４０】
図９（ｂ）は、ディレイ設定部１７で、ディレイグループに分配した音声信号に対してディレイ値の設定を行う際の表示部２１の表示例である。表示部２１には、ディレイグループ、ディレイ値、オートディレイのＯＮ／ＯＦＦ、音声信号回線番号、映像信号回線番号、ハーフディレイのＯＮ／ＯＦＦ、ディレイロックが表示される。これらのうち、ディレイ値、オートディレイのＯＮ／ＯＦＦ、音声信号回線番号、映像信号回線番号、ハーフディレイのＯＮ／ＯＦＦ、ディレイロックは、ユーザが操作部２０や音声調整卓５と接続したキーボードやマウスなどを使用することにより設定することができる。ディレイグループの表示及びディレイロックのＯＮ／ＯＦＦ表示は、実施例１の場合と同様である。図９（ｂ）のディレイ値の表示は、ディレイグループごとのディレイ値の表示であり、実施例１と同様にユーザは各ディレイグループに対してディレイ値を設定することができる。一方、ユーザがディレイ値を設定せず、オートでディレイ値の設定を行うこともできる。オートディレイの表示は、ディレイグループごとにオートでディレイ値を設定するか否かを表示する。音声／映像信号番号の表示は、オートでディレイを設定する際の音声／映像基準信号と比較する音声／映像信号の識別番号の表示である。ハーフディレイの表示は、オートディレイでディレイ値を設定する際にハーフディレイで行うか否かの設定をＯＮ又はＯＦＦで表示する。
【００４１】
オートでディレイ値の設定を行う場合は、制御部１５の音声／映像信号遅延量測定部２２，２３が、音声／映像信号と音声／映像基準信号と比較することで、音声／映像信号の遅延量を計測し、その遅延量に応じたディレイ値を設定する。その際のディレイ値の計算としては、式（１）又は式（２）のどちらかの計算式を利用することができる。
【００４２】
［オートディレイ］
［ディレイ設定値］＝［映像信号の遅延量］−［音声信号の遅延量］・・・（１）
［ハーフディレイ］
［ディレイ設定値］＝［映像信号の遅延量］／２−［音声信号の遅延量］／２・・・（２）
【００４３】
上記の式を計算式として利用した場合の図９（ｂ）の表示部２１の表示としては、式（１）の場合は、オートディレイをＯＮ表示とし、ハーフディレイをＯＦＦ表示とする。また、式（２）の場合は、オートディレイをＯＮ表示とし、ハーフディレイをＯＮ表示とする。
【００４４】
図９（ｃ）は、回線切替部１２で、ディレイ値を調整した音声信号を回線チャンネルごとに分配する設定を行う際の表示部２１の表示例である。実施例１と同様に、表示部２１には、回線チャンネル番号、回線切替部１２から出力する回線名、ディレイ値が表示される。これらのうち、回線切替部１２から出力する回線は、ユーザが操作部２０や音声調整卓５と接続したキーボードやマウスなどを使用することにより任意に設定することができる。
【００４５】
［２−３．効果］
以上の通り、この実施例２においては実施例１と同様の効果だけでなく、ディレイグループごとにディレイ値を設定する場合に、音声／映像信号と音声／映像基準信号と比較することで、音声／映像信号の遅延量を計測し、その遅延量の差に応じたディレイ値を設定する。これにより、各ディレイ値を自動で設定することができ、マニュアル設定による操作ミスを防止することができる。
【符号の説明】
【００４６】
１…再生装置
２…音声装置
３…映像装置
４…映像調整卓
５…音声調整卓
６ａ…スタジオ
６ｂ…バーチャルスタジオ
６ｃ…中継現場
７…カメラ
８…マイク
９…セレクタ
９ａ…セレクタ
９ｂ…セレクタ
１０…中継端末
１１…バーチャル映像信号処理部
１２…回線切替部
１３…音声処理部
１４…フェーダー
１５…制御部
１６…ディレイグループ設定部
１７…ディレイ設定部
１８…ディレイロック部
１９…回線切替設定部
２０…操作部
２１…表示部
２２…ディレイ調整つまみ
２３…ディレイ表示板
２４…回線名称表示板
２５…音声基準信号発生部
２６…映像基準信号発生部
２７…音声信号遅延量測定部
２８…映像信号遅延量測定部
【図１】
2011035466.tif 000003
【図２】
2011035466.tif 000004
【図３】
2011035466.tif 000005
【図４】
2011035466.tif 000006
【図５】
2011035466.tif 000007
【図６】
2011035466.tif 000008
【図７】
2011035466.tif 000009
【図８】
2011035466.tif 000010
【図９】
2011035466.tif 000011
【図１０】
2011035466.tif 000012